(57)【要約】【課題】  本発明は、目地板材に、左右、かつ上下に配備した、コンクリートを取込む傾斜面を備えた切欠きを設けることで、コンクリートの膨張と伸縮に対しても、両者の結び付きを介して、目地素材とコンクリートの連繋が図れ、同様にコンクリートの膨張、及び／又は、伸縮緩和に有効性が図れる構造とし、従来の課題を解決する。【解決手段】  本発明は、中央分離帯の目地用の目地板材で、中芯となる第一長尺板と、この第一長尺板の両側面に設けた防草兼繋ぎ止め機能を可能とする外側「基点」から内側「切込み終点」に向う（切欠き傾斜角度が、基点から切込み終点に対して、略７０°傾斜角度となる）傾斜面を備えた切欠きを設けた左右、かつ上下に配備された少なくとも四枚の第二短尺板〜第五短尺板と、を備えており、切欠き傾斜が対峙関係に形成されている。防草効果と、コンクリートの剥離抑制にある。【選択図】      図１−１
2018009407.tif 000002
【特許請求の範囲】
【請求項１】
道路、歩道、又はその他の構築物の目地用の目地板材において、
この目地板材は、第一長尺板部となる中芯と、この中芯の上下の両側面にある防草兼繋ぎ止め機能を可能とする外側から内側に向う傾斜面を有する切欠きを備えた、少なくとも、四枚の第二短尺板部〜第五短尺板部と、を備えており、
前記傾斜面が対峙関係に形成されている構成の目地板材。
【請求項２】
道路、歩道、又はその他の構築物の目地用の目地板材において、
この目地板材は、中芯となる第一長尺板と、この第一長尺板の両側面に設けた防草兼繋ぎ止め機能を可能とする外側から内側に向う傾斜面を備えた切欠きを設けた左右、かつ上下に配備された、少なくとも、四枚の第二短尺板〜第五短尺板と、を備えており、
前記傾斜面が対峙関係に形成されている構成の目地板材。
【請求項３】
前記第一長尺板と前記第二短尺板〜第五短尺板との厚みを同じとする構成とした請求項１又は請求項２に記載の目地板材。
【請求項４】
前記第二短尺板〜第五短尺板の傾斜面を備えた切欠きは、その傾斜角度が４０°〜８０°であって、望ましくは、６５°〜７５°とする構成とした請求項１又は請求項２に記載の目地板材。
【請求項５】
前記第一長尺板を、横断方向でカットし、コンクリートの厚みが小さい舗装箇所にも転用できる構成とした請求項１又は請求項２に記載の目地板材。
【請求項６】
前記第一長尺板と前記第二短尺板〜第五短尺板とを、一枚の板材を切断して形成する構成とした請求項１又は請求項２に記載の目地板材。
【発明の詳細な説明】
【技術分野】
【０００１】
本発明は、中央分離帯、或いは道路、歩道、又はその他の構築物（総称して、中央分離帯とする）の目地、即ち、道路の長手方向を横断的に繋ぐ際の目地に装填される目地板材に関する。
【背景技術】
【０００２】
この種の目地板材に関する先行技術として、次に挙げる文献がある。
【０００３】
文献（１）は、特開２００８−２８０７３５号公報に記載の発明であり、主体部（４）の長手方向に向かった両面に、横断的に突出した突条（５、５）を形成し、この突条の両縁端部に鋭角部を形成し、雑草の根に負担を掛けることと、主体部（４）の底部（２０）を利用して、路盤（５１）からの芽の伸びを抑制することであり、防草効果が期待できるとする。しかしながら、鋭角部で根に負担を掛けるとしても一時的なものである。また路盤からの芽の伸びを抑制することも一般的なことである。
【０００４】
また文献（２）は、実用新案登録第３０４８６０５号公報に記載の考案であり、ゴム、プラスチック等の耐腐蝕製素材であって、平板形状の平板（１）の下方に、断面視して三角形状の漸減部（５）「鏃」を設けた目地材の構造であり、楔効果を利用して、目地材の浮き上り防止を図ることを特徴とする。
【０００５】
【特許文献１】特開２００８−２８０７３５号公報
【特許文献２】実用新案登録第３０４８６０５号公報
【発明の概要】
【発明が解決しようとする課題】
【０００６】
文献（１）の発明は、発明者の経験則では、「鋭角部を形成し、雑草の根に負担を掛けること」は可能と考えられるが、その効果は、期待できるとは考えられない。そこで、本発明では、“目地板材に、左右、かつ上下に配備した、傾斜面を備えた切欠きを設けるとともに、この傾斜面を備えた切欠きが、植物の屈光性及び屈地性の特性を遮断できる（成長を阻止できる）”構成とし、この種の目地板材に、新しい、防草効果を達成することに有る。
【０００７】
文献（２）の考案は、目地材の浮き上り防止を図るが、単に一つの目的達成であり、目地板材としての活用が少ないと考えられる。そこで、本発明では、前述の構成を採用し、この種の目地板材に、新しい、防草効果を達成することと、併せて、目地板材の浮き上り防止を図ること、にある。
【０００８】
また、本発明は、文献（１）と文献（２）では、達成できない他の効果を発揮できる構成を備えている。即ち、（イ）  “目地板材に、左右、かつ上下に配備した、傾斜面を備えた切欠きを設けることで、コンクリートを取込む傾斜面を備えた切欠き（連繋コンクリート部位）を設ける”  構成とし、（ロ）  コンクリートの膨張と伸縮に対しても、両者（目地板材とコンクリート）の結び付きを介して、目地素材とコンクリートの連繋が図れ、また、幾分でも、同様にコンクリートの膨張、及び／又は、伸縮緩和に有効性が図れる構造とする。
【課題を解決するための手段】
【０００９】
従来の課題を解決し、かつ目地板材の特徴である、（イ）  防草効果と、（ロ）  目地素材とコンクリートの連繋と、併せて（ハ）  得意の浮き上り防止、及び／又は、横ブレ防止と、を図ることを意図して、請求項１〜６を開示する。
【発明の効果】
【００１０】
請求項１の発明は、道路、歩道、又はその他の構築物の目地用の目地板材において、
目地板材は、第一長尺板部となる中芯と、中芯の上下の両側面にある防草兼繋ぎ止め機能を可能とする外側から内側に向う傾斜面を有する切欠きを備えた、少なくとも、四枚の第二短尺板部〜第五短尺板部と、を備えており、
傾斜面が対峙関係に形成されている構成の目地板材である。
【００１１】
また、請求項２の発明では、中央分離帯、或いは道路、歩道、又はその他の構築物の目地用の目地板材において、
目地板材は、中芯となる第一長尺板と、この第一長尺板の両側面に設けた防草兼繋ぎ止め機能を可能とする外側から内側に向う（切欠き傾斜角度が、基点から切込み終点に対して、略７０°傾斜角度となる）傾斜面を備えた切欠きを設けた左右、かつ上下に配備された少なくとも四枚の第二短尺板〜第五短尺板と、を備えており、
切欠き傾斜が対峙関係に形成されている目地板材である。
【００１２】
従って、請求項１と請求項２では、（イ−１）  傾斜面を備えた切欠きは達成できる植物の屈光性（芽が求める上向きの方向性を遮断）と屈地性（根が求める下向きの方向性を遮断）を遮断できることで、防草効果が図れる。また、傾斜面を備えた切欠きとコンクリートとの間に隙間が形成されても、前記防草効果は期待できる。（ロ−１）  対の傾斜面を備えた切欠きを備えることと、傾斜面を備えた切欠きが対峙関係となることで（連繋コンクリート部位を介して、）、コンクリートの膨張と伸縮に対しても、目地素材とコンクリートの連繋が図れ、また、幾分でも、同様にコンクリートの膨張、及び／又は、伸縮緩和に有効性が図れる。
（ハ−１）  傾斜面を備えた切欠きの広い面積、及び／又は、対峙傾斜面との相乗効果で、優れた浮き上り防止が期待できる。
【００１３】
請求項３の発明は、第一長尺板と第二短尺板〜第五短尺板との厚みを同じとする目地板材である。
【００１４】
従って、請求項３では、前記（イ−１）〜（ハ−１）に加えて、（ニ−１）  一枚の板材をカットして、製作できることと、コストの低廉化に寄与できる。
【００１５】
請求項４の発明は、第二短尺板〜第五短尺板の傾斜面を備えた切欠きは、傾斜角度が４０°〜８０°であって、望ましくは、６５°〜７５°とする目地板材である。
【００１６】
従って、請求項４では、前記（イ−１）〜（ハ−１）に加えて、（ホ−１）  防草効果を確実に達成でき、かつ目地素材とコンクリートの連繋が図れ、また、幾分でも、同様にコンクリートの膨張、及び／又は、伸縮緩和の有効性が確保できる。
【００１７】
請求項５の発明では、第一長尺板を、横断方向でカットし、コンクリートの厚み（路盤からの高さ）が小さい舗装箇所、又は雑草の発生が少ない舗装箇所、或いは雑草の発生を容認できる舗装箇所等にも転用できる目地板材である。
【００１８】
従って、請求項５では、前記（イ−１）〜（ハ−１）に加えて、（ヘ−１）  汎用性があり重宝する。また、経費の削減に寄与できる。
【００１９】
請求項６の発明では、第一長尺板と第二短尺板〜第五短尺板とを、一枚の板材を切断して形成する目地板材である。
【００２０】
従って、請求項６では、前記請求項３と同じ効果がある。
【図面の簡単な説明】
【００２１】
【図１−１】本発明の目地用の目地板材の第一例を示した斜視図
【図１−２】本発明の目地用の目地板材の他の第一例を示した斜視図
【図２−１】図１−１に示した目地板材の使用状態の端面模式図
【図２−２】図１−２に示した目地板材の使用状態の端面模式図
【図３】図１に示した目地板材の使用状態の俯瞰模式図
【図４】本発明の他の目地板材の一例を示した斜視図
【図５】図４に示した目地板材の使用状態の端面模式図
【図６−１】図１−１に示した目地板材の各方向からの図であり、（Ａ）が正面図（背面図）、（Ｂ）が右側面図（左側面図）、（Ｃ）が平面図（底面図）
【図６−２】図１−２に示した目地板材の各方向からの図であり、（Ａ）が正面図（背面図）、（Ｂ）が右側面図（左側面図）、（Ｃ）が平面図（底面図）
【図７−１】本発明の目地板材の第二例を示した斜視図
【図７−２】本発明の目地板材の他の第二例を示した斜視図
【図８−１】図７−１に示した目地板材の使用状態の端面模式図
【図８−２】図７−２に示した目地板材の使用状態の端面模式図
【図９】従来の一例であり、中央分離帯の目地より雑草が繁殖している状態の俯瞰模式図
【発明を実施するための形態】
【００２２】
以下、本発明の一実施例を説明する。
【００２３】
１は中央分離帯、或いは道路、歩道、又はその他の構築物の目地に装填、又は立設、差込み、設置等される目地用の目地板材であり、この目地板材素材１は、合板、又はアスファルトを含浸した瀝青系繊維素材、或いはプラスチック材（廃材も有り得る）、ゴム等の板材とか、前記各素材の複合板材で構成する。
【００２４】
図１−１、図１−２と、図２−１、図２−２の第一例、他の第一例は、目地板材素材１をカットして製作する実施例であり、この第一例では目地板材素材１は、中芯（後述する、目地板材１−１の一体成型の構造）となる立上り高さＬを備えた第一長尺板１００と、この第一長尺板１００の両側面１００ａ・１００ｂで、かつその上下端１００ｃ・１００ｄに、面一となるように設けた立上り高さ略１／３Ｌを備え、かつ後述する対峙側に傾斜面２〜５を備えた第二短尺板〜第五短尺板１０１〜１０４とで構成するとともに、この四枚の備えた、少なくとも、四枚第二短尺板〜第五短尺板１０１〜１０４を、第一長尺板１００の両側面１００ａ・１００ｂに添設した際には、その対峙側に間隔６、７が形成される。尚、図１−１の第一例では、第二短尺板１０１〜第五短尺板１０４は、同じ立上り高さ略１／３Ｌである。また、図１−２の他の第一例では、第二短尺板１０１と第四短尺板１０３は、立上り高さ略１／３Ｌで、第三短尺板１０２と第五短尺板１０４は、立上り高さ略１／２．５Ｌである。即ち、他の第一例は、上の第二短尺板１０１と第四短尺板１０３に対して、下の第三短尺板１０２と第五短尺板１０４が長く形成した構成で、不均等である。傾斜面２〜５の傾斜角度は、原則として、後述する角度とする。また、第一長尺板１００と、第二短尺板１０１〜第五短尺板１０４との肉厚Ｗは同じとする。
【００２５】
そして、この第二短尺板〜第五短尺板１０１〜１０４を、目地板材素材１の両側面１００ａ、１００ｂに添設した際に、この両側面１００ａ、１００ｂと、第二短尺板〜第五短尺板１０１〜１０４の傾斜面２〜５との間に、傾斜面を備えた切欠き１０〜１３がそれぞれ形成される。尚、添設する際に、原則として、第一長尺板１００の上下端１００ｃ・１００ｄと、第二短尺板〜第五短尺板１０１〜１０４の上端１０１ａ・１０３ａ、又は下端１０２ｂ・１０４ｂとは、面一となる。この添設（接着、釘止め等）の際に、第二短尺板１０１の傾斜面２と、第三短尺板１０２の傾斜面３とが対峙し、かつ第四短尺板１０３の傾斜面４と、第五短尺板１０４の傾斜面５とが対峙する構造である。
【００２６】
尚、この傾斜面を備えた切欠き１０〜１３は、防草効果を発揮するために、傾斜面２〜５と鉛直側面１０１ｃ〜１０４ｃとで形成する傾斜角度が４０°〜８０°であって、望ましくは、６５°〜７５°とする。これにより、植物の屈光性及び屈地性の特性を遮断できる。殊に、目地板材素材１をカットして製作する例では、カットする際に、傾斜角度を４５°とすることで、第二短尺板１０１〜第五短尺板１０４の傾斜角度４５°を確保できる。また、傾斜角度を４５°を確保することで、カットした双方、例えば、第二短尺部１０１（第四短尺部１０３）と、第三短尺部１０２（第五短尺部１０４）との傾斜角度４５°が確保できる利点がある。そして、場合により、傾斜角度が４０°を採用しても、傾斜面５の傾斜長さが、例えば、１ｃｍ〜２ｃｍ程度（目地板材素材１が１ｃｍの厚みとして考えた場合は）確保できれば、防草効果が期待できる。
【００２７】
また、第二短尺板１０１と第三短尺板１０２の構造と、第四短尺板１０３と第五短尺板１０４の構造と、及び／又は、傾斜面２と傾斜面４の構造と、傾斜面３と傾斜面５の構造とは、対峙関係である。従って、コンクリートの膨張と伸縮とに耐える効果（繋ぎ止め機能を可能とする）、及び／又は、目地板１等の浮き上がり防止等に役立つ効果（繋ぎ止め機能を可能とする）を有する。
【００２８】
以上で説明した組付け構造は、例えば、コストの低廉化、小ロット等の見地より、一枚の板材から製造する一例を説明したものであるが、その他の成形としては、例えば、量産化と品質確保等の見地から、一体成型とか、引抜き成型、鋳造、又は鋳込み成型等の方法でも可能である。
【００２９】
尚、図４に示した、目地板材素材１をカットして使用する、その他の例であり、例えば、コンクリートＸ（舗装材）が浅い構築物に最適である。その構造は、前述の目地板材素材１に準ずる。従って、同じ形態と機構とに関しては、共通の符号を付する。また、その効果も、目地板材素材１に準ずる。尚、図示しないが、最初から製作する等してもよい。
【００３０】
図２−１、図２−２と、図３に示したような使用方法であり、目地板材素材１は、中央分離帯Ｈの横断方向に形成される目地２１に敷設される。通常は、コンクリートＸ打設時に、目地棒の操作で目地２１を作り、その後作業を行った後に、この目地２１に挿入される。挿入後において、種子が路盤２２とか、目地板材素材１とコンクリートＸとの間に存在しても、傾斜面を備えた切欠き１０〜１３の傾斜角度が、防草効果、即ち、植物の屈光性及び屈地性の特性を遮断できる。また、図１の構造の目地板材素材１では、四基の傾斜面を備えた切欠き１０〜１３と打設した四か所のコンクリートＸとの結び付き、及び／又は、間隔６、７とを有することから、両者の結び付が強固となり、コンクリートＸの膨張、及び伸縮に対しても、この両者の離脱は少なくなる実益（剥離抑制）がある。しかも、四基の傾斜面を備えた切欠き１０〜１３の対の傾斜面を備えた切欠き１０、１２と、傾斜面を備えた切欠き１１、１３とが対峙関係を確保しており、その効果は最大である。また、氷結によるコンクリートＸの膨張、及び伸縮に対しても、同様に有効である。また、目地板材素材１の路盤２２等への埋設深さは、それぞれ一例であり、限定されない（他の各例も同じ）。
【００３１】
図７−１、図７−２と、図８−１、図８−２の第二例、他の第二例は、目地板材１−１を一体成型した構造であり、金型、又は押出成形等の装置を利用して製作する。構造は、目地板材１−１の中芯は、第一長尺板部１００−１となり、その両側面１００−１ａ、１００−１ｂには、外側から内側に向う傾斜面を備えた切欠き１０−１〜１３−１を備えた、少なくとも、四枚の第二短尺板部１０１−１〜第五短尺板部１０４−１と、を膨出形成する。その他の構造は、前述の図１−１と、図１−２の第一例に準ずる。また、同じ形態と効果がある構造は、同じ符号と名称を使用する。また、図４、図５の実施例を採用する際には、金型等を変更する必要がある。
【００３２】
尚、１０１−１ａ、１０３−１ａは、第二短尺板部１０１−１、第三短尺部１０３−１の部位の各上端を、また、１０２−１ｂ、１０４−１ｂは、第三短尺板部１０２−１〜第四短尺部１０４−１の部位の各下端を、さらに１０１−１ｃ〜１０４−１ｃは、第二短尺板部１０１−１〜第四短尺部１０４−１の部位の各側面を、それぞれ示している。
【００３３】
そして、図７−１の第二例では、第二短尺板部１０１−１〜第五短尺板部１０４−１は、同じ立上り高さ略１／３Ｌである。また、図７−２の他の第二例では、第二短尺板部１０１−１と第四短尺板部１０３−１は、立上り高さ略１／３Ｌで、第三短尺板部１０２−１と第五短尺板１０４−１は、立上り高さ略１／２．５Ｌである。即ち、他の第二例は、上の第二短尺板部１０１−１と第四短尺板部１０３−１に対して、下の第三短尺板部１０２−１と第五短尺板部１０４−１が長く形成した構成で、不均等である。その他は、前述の第一例、又は他の第一例に準ずる。
【００３４】
また、図９の如く、従来の目地材では、雑草の繁殖頻度が顕著であり、美観と交通障害、並びに毎年の除草に手間と人手を要する課題がある。
【００３５】
前述した各実施例等は、本発明の好ましい一例の説明である。各実施例とか図面に限定されない。従って、発明の趣旨の範囲において構成の一部を変更する構造とか、同じ特徴と効果を達成できる構造、等は、本発明の範疇である。
【符号の説明】
【００３６】
１  目地板材素材
１−１  目地板材
１００  第一長尺板
１００−１  第一長尺板部
１００ａ  側面
１００−１ａ  側面
１００ｂ  側面
１００−１ｂ  側面
１００ｃ  上端
１００−１ｃ  上端
１００ｄ  下端
１００−１ｄ  下端
１０１  第二短尺板
１０１−１  第二短尺板部
１０１ａ  上端
１０１−１ａ  上端
１０１ｃ  側面
１０１−１ｃ  側面
１０２  第三短尺板
１０２−１  第三短尺板部
１０２ｂ  下端
１０２−１ｂ  下端
１０２ｃ  側面
１０２−１ｃ  側面
１０３  第四短尺板
１０３−１  第四短尺板部
１０３ａ  上端
１０３−１ａ  上端
１０３ｃ  側面
１０３−１ｃ  側面
１０４  第五短尺板
１０４−１  第四短尺板部
１０４ｂ  下端
１０４−１ｂ  下端
１０４ｃ  側面
１０４−１ｃ  側面
２〜５  傾斜面
６、７  間隔
１０〜１３  傾斜面を備えた切欠き
１０−１〜１３−１  傾斜面を備えた切欠き
２１  目地
２２  路盤
Ｗ  肉厚
Ｈ  中央分離帯
Ｌ  立上り高さ
Ｘ  コンクリート
【図１−１】
2018009407.tif 000003
【図１−２】
2018009407.tif 000004
【図２−１】
2018009407.tif 000005
【図２−２】
2018009407.tif 000006
【図３】
2018009407.tif 000007
【図４】
2018009407.tif 000008
【図５】
2018009407.tif 000009
【図６−１】
2018009407.tif 000010
【図６−２】
2018009407.tif 000011
【図７−１】
2018009407.tif 000012
【図７−２】
2018009407.tif 000013
【図８−１】
2018009407.tif 000014
【図８−２】
2018009407.tif 000015
【図９】
2018009407.tif 000016